(57)【要約】      （修正有）【課題】汎用の換気孔に収容可能で当該換気孔の屋内側、屋外側にも突出することがない熱交換型換気装置を提供する。【解決手段】熱交換型換気装置１０は、屋内と屋外との間の壁１を貫通している換気孔２に挿入可能であり、該換気孔２の長さよりも短い中空筒状のケース１１と、該ケース１１内に収容された通気可能な蓄熱体１２と、該ケース１１内に収容され、該換気孔２内で該蓄熱体１２よりも屋外側に位置するファン１３とを備える。【選択図】図１
2017083035.tif 000002
【特許請求の範囲】
【請求項１】
屋内と屋外との間の壁を貫通している換気孔に挿入可能であり、該換気孔の長さより短い中空筒状のケースと、
該ケース内に収容された通気可能な蓄熱体と、
該ケース内に収容され、前記換気孔内で該蓄熱体よりも屋外側に位置するファンと、
を備えることを特徴とする熱交換型換気装置。
【請求項２】
前記換気孔内で、前記ファンよりも屋外側に位置する別個の蓄熱体を更に備える請求項１記載の熱交換型換気装置。
【請求項３】
前記ファンが、前記蓄熱体から離隔して設けられた請求項１又は２記載の熱交換型換気装置。
【請求項４】
前記ファンが正逆回転可能である請求項１〜３のいずれか１項に記載の熱交換型換気装置。
【請求項５】
前記ファンの羽根の回転を制御するファンコントローラを更に備える請求項１〜４のいずれか１項に記載の熱交換型換気装置。
【請求項６】
前記蓄熱体を加熱する補助ヒータを更に備える請求項１〜５のいずれか１項に記載の熱交換型換気装置。
【請求項７】
少なくとも前記ケースと、前記蓄熱体と、前記ファンとが一体的に組み立てられた請求項１〜６のいずれか１項に記載の熱交換型換気装置。
【請求項８】
前記換気孔が汎用品により所定の内径を有するもの又は既設若しくは既存のものであり、該換気孔に汎用の又は既存の屋内フード及び屋外フードの少なくとも一方が取り付けられた請求項１〜７のいずれか１項に記載の熱交換型換気装置。
【請求項９】
屋内と屋外との間の壁に、請求項１〜８のいずれか１項に記載の熱交換型換気装置が挿入された換気孔と、ファンを有しない熱交換型換気装置が挿入された換気孔とを備えることを特徴とする建物の熱交換型換気システム。
【発明の詳細な説明】
【技術分野】
【０００１】
本発明は、熱交換型換気装置及び建物の熱交換型換気システムに関する。
【背景技術】
【０００２】
従来、屋内と屋外との間の壁を貫通している換気孔により自然換気することが行われてきた。近年、保温性を高めて冷暖房エネルギーの消費を抑制するために、気密性の高い建物への志向が高まり、それに伴って送風機や排風機を用いて機械的に換気する、強制換気が行われるようになっている。
【０００３】
送風機や排風機のみでは、屋内で暖められた空気や冷やされた空気がそのまま屋外に排出されるので、送風機や排風機と熱交換器とを組み合わせることで、暖房や冷房のためのエネルギーの損失を抑制した熱交換型換気装置がある。幾つかの熱交換型換気装置は、特許出願されている（特許文献１、特許文献２）。
【先行技術文献】
【特許文献】
【０００４】
【特許文献１】特開２０１３−１１３４６３号公報
【特許文献２】特開平５−１５７３０８号公報
【発明の概要】
【発明が解決しようとする課題】
【０００５】
従来の熱交換型換気装置は、ファン及び熱交換器の少なくとも一方が大きかった。例えば熱交換器、換言すれば蓄熱器の直径が既存の換気孔の内径よりも大きく、この場合には、その熱交換型換気装置に専用の換気孔を設ける必要があった。
また、特許文献１に記載の熱交換型換気装置は、既存の換気孔の取り付け可能な熱交換器を有しているが、その熱交換器の長さが長く、熱交換器と送風ファンとを組み合わせた熱交換換気装置は、日本の環境における標準的な壁の厚さよりも長くなり、熱交換器の一端が屋外に突出することから、専用の屋内フード及び屋外フードを製作して取り付ける必要があり、コストアップを招いていた。
【０００６】
更に、特許文献２に記載の熱交換型換気装置は、熱交換器の長さが壁の厚さよりも短いが、ファンは換気孔外の屋内側及び屋外側にそれぞれ設けられているので、屋内フード及び屋外フードがかさばり、美観を低下させるだけでなく、専用の屋内フード及び屋外フードを取り付ける必要があることからコストアップを招いていた。
【０００７】
本発明は、上記の問題を有利に解決するものであり、汎用の換気孔又は既存の換気孔に収容可能で当該換気孔の屋内側、屋外側にも突出することがない熱交換型換気装置及び建物の熱交換型換気システムを提供することを目的とする。
【課題を解決するための手段】
【０００８】
本発明の熱交換型換気装置は、屋内と屋外との間の壁を貫通している換気孔に挿入可能であり、該換気孔の長さより短い中空筒状のケースと、
該ケース内に収容された通気可能な蓄熱体と、
該ケース内に収容され、前記換気孔内で該蓄熱体よりも屋外側に位置するファンと、
を備えることを特徴とする。
【０００９】
本発明の熱交換型換気装置においては、上記換気孔内で、上記ファンよりも屋外側に位置する別個の蓄熱体を更に備えること、上記ファンが、上記蓄熱体から離隔して設けられたこと、上記ファンが正逆回転可能であること、上記ファンの羽根の回転を制御するファンコントローラを更に備えること、上記蓄熱体を加熱する補助ヒータを更に備えること、少なくとも上記ケースと、上記蓄熱体と、上記ファンとが一体的に組み立てられたことが好ましい。また、本発明の熱交換型換気装置においては、上記換気孔が既設又は既存のものであり、該換気孔に既存の屋内フード及び既存の屋外フードが取り付けられた構造とすることができる。
また、本発明の建物の熱交換型換気システムは、熱交換型換気装置が挿入された換気孔と、ファンを有しない熱交換型換気装置が挿入された換気孔とを備えることを特徴とする。
【発明の効果】
【００１０】
本発明の熱交換型換気装置によれば、汎用の換気孔又は既存の換気孔に収容可能で当該換気孔の屋内側にも屋外側にも突出することがなく、ひいては美観の低下を招かず、また屋内用フード及び屋外用フードに汎用品又は既存品を用いることができるので、低コストの熱交換型換気装置を提供することが可能となる。
【図面の簡単な説明】
【００１１】
【図１】本発明の熱交換型換気装置の一実施形態の横断面図である。
【図２】本発明の熱交換型換気装置の一実施形態の分解図である。
【図３】本発明の建物の熱交換型システムを説明する模式的な平面図である。
【発明を実施するための形態】
【００１２】
以下、本発明の熱交換型換気装置について、図面も用いつつ具体的に説明する。
図１の断面図及び図２の分解図に示す本発明の一実施形態の熱交換型換気装置１０は、ケース１１と、蓄熱体１２と、ファン１３とを少なくとも備えている。
【００１３】
熱交換型換気装置１０は、建物の屋内と屋外とを区画する外壁１を貫通して形成されている換気孔２の孔内に収容されている。換気孔２の屋内側には屋内用フード３が取り付けられ、屋外側には屋外用フード４が取り付けられている。屋内用フード３及び屋外用フード４は汎用品又は既存品を用いることができる。なお、符号５は外壁１に嵌め込まれて換気孔２を形成している樹脂製のスリーブ管である。このスリーブ管５は、汎用品であり、所定の内径の換気孔２を形成している。換気孔２が既存のものである場合に、このような汎用品のスリーブ管５が用いられているか、又は、汎用品のスリーブ管５の内径以上の内径を有していることにより、換気孔２に熱交換型換気装置１０を取り付けることができる。スリーブ管５と屋内用フード３との隙間に、スポンジ等の気密材又は断熱材を取り付けることができる。また、スリーブ管５と屋外用フード４との隙間に、スポンジ等の気密材又は断熱材を取り付けることができる。
【００１４】
ケース１１は、少なくとも蓄熱体１２とファン１３とを収容する。また補助ヒータ１４を蓄熱体１２と共に収容することもできる。ケース１１は、中空の円筒形状であり、外径が汎用の換気孔２に収納される汎用の屋内用フード３の中空の円筒状の部分３ａの内径よりも若干小さく、具体的に１４０ｍｍ程度である。これにより汎用の換気孔２に収納される汎用の屋内用フード３の中空の円筒状の部分３ａにケース１１を着脱可能になっている。ケース１１は、次に述べる蓄熱体１２及びファン１３及び補助ヒータ１４を収容して固定可能であれば、材料は問わず、例えばプラスチックを用いることができる。
【００１５】
蓄熱体１２は、熱交換型換気装置１０による換気の際に、屋内の空気と屋外の空気との間で熱交換をする。蓄熱体１２は、例えばセラミックスよりなり、ケース１１の内径よりも小さな外形を有する概略円柱形状を有している。セラミックスは焼成して得られ、吸水性を有する場合があるため、必要に応じて防水用の表面処理をすることができる。蓄熱体１２は、ケース１１内に収容され、ケース１１に嵌め合わされている。ケース１１と蓄熱体１２の間に隙間が生じる場合には、ケース１１の内面と蓄熱体１２の外面との間にスポンジ等の気密材又は断熱材を取り付けることもできる。また、後述する補助ヒータ１４を、蓄熱体１２の外周面とケース１１の内周面との間に設けることもできる。ケース１１と補助ヒータ１４との間に隙間が生じる場合には、ケース１１の内面と補助ヒータ１４の外面との間にスポンジ等の気密材又は断熱材を取り付けることもできる。
【００１６】
蓄熱体１２は、円柱形状の外形の軸線方向に平行な方向に貫通している細孔を有している。これらの細孔は、例えば押し出し成形により成形することができ、その後に焼成してセラミックの蓄熱体を得ることができる。この他にもハニカム状又は格子状に適切な方法により開口させることにより細孔を形成することもできる。蓄熱体１２の細孔を通る空気は、当該細孔の壁面との熱交換により加熱され、又は冷却される。
【００１７】
本実施形態の蓄熱体１２は、熱交換型換気装置に用いられ得る蓄熱体において、従来よりも単位質量の大きいものを用いている（例えば比重が１：３以上）。しかも、蓄熱体１２は、通気する細孔の開口率を高くしていることで、熱容量を大きくしている。したがって、本実施形態の蓄熱１２は、従来の熱交換型換気装置の蓄熱体に比べて熱容量が大きく、熱交換率が高いため、従来の熱交換型換気装置の蓄熱体よりも軸線方向の長さを短くすることができる。このことにより、熱交換型換気装置１０全体の長さを従来よりも短くすることができ、ひいては外壁１の換気孔２の端部から突出させることなく当該熱交換型換気装置１０全体を換気孔２内に収容させることができる。
【００１８】
蓄熱体１２は、その軸線方向の一端部がケース１１の屋内側端部とほぼ同一の位置になるように適切な手段によりケース１１に固定されるのが好ましい。
【００１９】
ファン１３は、屋内の空気と屋外の空気とを強制換気する。ファン１３は、円筒状のケース１１の内径よりも小さな外形になる円形の外枠を有している。ファン１３は、ケース１１内に収容され、ケース１１に嵌め合わされている。ケース１１とファン１３との間に隙間が生じる場合には、ケース１１の内面とファン１３の外枠の外面との間にスポンジ等の気密材又は断熱材を取り付けることもできる。ファン１３は、モータを内蔵し、ファンの回転軸方向に送風するものであり、当該回転軸方向に所定の厚さを有している。
【００２０】
熱交換型換気装置１０全体を換気孔２内に収容するために、ファン１３は薄型が好ましい。例えば図１に示した本実施形態ではファン１３の厚さは３０ｍｍ以下である。ファン１３は、その軸線方向の一端部がケース１１の屋外側端部とほぼ同一の位置になるように適切な手段によりケース１１に固定されるのが好ましい。
【００２１】
後述する換気システムにおいては、一つの熱交換型換気装置１０は、時間を区切って屋内から屋外への排気と、屋外から屋内への給気とを繰り返す。このような運転を可能にするために、ファン１３は、正転方向にも逆転方向にも換気に必要な風量で送風可能な羽根及びモータの構成を有することが好ましい。
【００２２】
ファン１３のモータは、図示しないコントローラに接続されている。このコントローラによりファン１３の回転数や回転方向が調整可能であることが好ましい。ファン１３の回転数を調整することにより風量を調整することができる。ファン１３の回転方向を切り替えることにより、ファン１３を室内への給気にも室内からの排気にも用いることができる。更に、コントローラは、正回転時間及び逆回転時間を調整することが可能なものが好ましい。ファン１３の正回転時間や逆回転時間を調整することにより、蓄熱体１２に蓄えられる熱量を調整することができ、よって熱交換型換気装置１０が取り付けられた環境において蓄熱体１２にできる限り多くの熱を蓄えることができるので、蓄熱体１２の長さを従来よりも短くするのに貢献することができる。
【００２３】
ファン１３は、換気孔２内においては、蓄熱体１２よりも屋外側に位置するようにケース１１に固定される。ファン１３を熱交換型換気装置１０の屋外側端部に配置することで当該ファン１３を屋内から遠ざけ、これによりファン１３から発生する騒音の、屋内におけるレベルを低下させることができる。また、本実施形態の熱交換型換気装置１０は、ファン１３よりも屋内側に蓄熱体１２が位置している。この蓄熱体１２は、ファン１３に対する防音部材としての役割を果たし、上述したようなファン１３を屋内から遠ざけたことと相俟って、ファン１３から生じる騒音を、建物の屋内において一層低下させることができる。ファン１３を逆回転させている時は、正回転させている時よりも騒音が高くなり易い。このため、ファン１３を熱交換型換気装置１０の屋外側端部に配置することは、ファンを正回転及び逆回転させる運転の場合に、騒音低下のために特に効果的である。
【００２４】
ケース１１の軸線方向で、ファン１３は、蓄熱体１２から離隔して設けられ、換言すればファン１３と蓄熱体１２との間に空隙が設けられている。これは、空隙を設けることで空気の流れがスムーズになり、熱交換効率を向上させるためである。例えばケースの長さが１０５ｍｍ、ファン１３の厚さが２８ｍｍ、蓄熱体１２の長さが５０ｍｍの場合に、２７ｍｍ程度の空隙を設けることができる。このような空隙を設けるために、ケース１１の内周面には、整流板を兼ねたストッパ１１ａが形成されている。ストッパ１１ａは、ケース１１の内周面の周方向に沿って形成され、当該内周面から突出する凸部であり、ストッパ１１ａが存在する箇所のケース１１の内径は、蓄熱体１２又はファン１３の外径より小さい。蓄熱体１２やファン１３をケース１１の端部から挿入したとき、ストッパ１１ａに蓄熱体１２やファン１３が当接して、それよりも奥に移動することが規制される。これにより蓄熱体１２とファン１３との空隙を確実に得ることができる。また、ストッパ１１ａは、整流板を兼ねていて、ストッパ１１ａを設けることで蓄熱体１２とファン１３との間の空隙の空気の流れがよりスムーズになる。
【００２５】
図１に示した熱交換型換気装置１０は、蓄熱体１２の外周面とケース１１の内周面との間に補助ヒータ１４を備えている。補助ヒータ１４は、例えば電熱ヒータである。補助ヒータ１４は、熱交換型換気装置１０になくてもよいが、補助ヒータ１４を備えることにより、蓄熱体１２を加熱することができ、これにより室内暖房時の屋外からの給気を効率よく昇温させることができる。また、屋外温度が氷点下になる場合の蓄熱体１２の結露及び氷結を防止する効果も得られる。したがって、蓄熱体１２の熱交換効率が高くなると同時に、寒冷地における凍害事故を防止することができ、ひいては蓄熱体１２の長さを短くすることができ、また、結露防止及び氷結防止になるので、寒冷地において補助ヒータ１４を備えることは好ましい。
【００２６】
熱交換型換気装置１０は、ケース１１と、蓄熱体１２と、ファン１３と、必要に応じて設けられた補助ヒータ１４とが、一体的に組み立てられている。一体的に組み立てられていることにより、熱交換型換気装置１０は、一つのユニットとして蓄熱体１２やファン１３や補助ヒータ１４を換気孔２に容易に取り付けることができ、取り付け作業性が向上する。また、一体的に組み立てられていることにより、メンテナンスの際には蓄熱体１２やファン１３や補助ヒータ１４を、換気孔２から容易に取り外すことができ、熱交換型換気装置１０のメンテナンス性が向上する。つまり、熱交換型換気装置１０を一つのユニットとして、このユニット単位で換気孔２に着脱可能であるから、取り付け作業性、メンテナンス性が向上している。また、蓄熱体１２の一端面に、つまみ部を形成することは、ケース１１から蓄熱体１２を取り外すのを容易にするため、メンテナンス性がより向上する。
【００２７】
ケース１１は、屋内用フード３に取り付けることができる。汎用型の屋内用フード３には換気孔２に挿入される中空の円筒状の部分があり、その円筒状の中空部分にケース１１を挿入して嵌め合わせることにより、熱交換型換気装置１０を換気孔２内で固定することができる。したがって、別途に熱交換型換気装置１０を固定する手段を必要とせず、部材数の簡略化を図ることができる。
【００２８】
図１に示した本実施形態の熱交換型換気装置１０は、円筒状のケース１１内に蓄熱体１２とファン１３と補助ヒータ１４とを備え、外壁１の厚さより小さな長さを有している。具体的に上述した例でケース１１の長さが１０５ｍｍであり、ファン１３の厚さが２８ｍｍ、蓄熱体１２の長さが５０ｍｍ、空隙が２７ｍｍで合計１０５ｍｍの長さである。これは木造建物の柱の太さが１０５ｍｍの場合の外壁１の厚さである、およそ１６５〜１８０ｍｍに比べて十分に小さい。
したがって、熱交換型換気装置１０は、その端部が外壁から突出することはなく、ひいては美観の低下を招かず、また屋内用フード３及び屋外用フード４に汎用品を用いることができる。よって、低コストの熱交換型換気装置とすることができる。
【００２９】
本発明の熱交換型換気装置１０は、図１に示すように、排気孔２内において、ファン１３よりも屋外側に位置するように、別個の蓄熱体１５を取り付けることができ、更に、この蓄熱体１５の外周面に、補助ヒータを取り付けることができる。蓄熱体１５は、蓄熱体１２と同様の構造のものを用いることができる。蓄熱体の長さは、例えば５０ｍｍ程度であるが、屋内側の蓄熱体１２と同じ長さであることを必ずしも必要としない。補助ヒータ１６は、補助ヒータ１４と同様のものを用いることができる。
蓄熱体１５及び補助ヒータ１６は、図１に示した例では、屋外用フード４の円筒部分に適切な手段により取り付けられて固定されている。蓄熱体１５及び補助ヒータ１６の固定手段は特に限定されない。屋外用フード４と蓄熱体１５又は補助ヒータ１６との間に隙間が生じる場合には、屋外用フード４の内面と蓄熱体１５又は補助ヒータ１６の外面との間にスポンジ等の気密材又は断熱材を取り付けることもできる。
【００３０】
蓄熱体１５及び補助ヒータ１６は、なくてもよいが、蓄熱体１５を備えることにより、熱交換型換気装置１０全体としての熱交換器性能をより高めることができる。また、給気時に屋外の空気は蓄熱体１５より熱交換されるので、寒冷地で熱交換型換気装置１０を使用した場合にファン１３が結露、氷結等により凍りつくおそれがない。更に、蓄熱体１５は、防音部材としての役割を果たし、屋外の騒音を屋内において低下させるのに効果的である。
【００３１】
補助ヒータ１６を備えることにより、蓄熱体１５を加熱することができ、これにより室内暖房時の屋外からの給気を効率よく昇温させることができる。また、寒冷地において屋外気温が氷点下となった場合でも凍結を防止することができる。したがって、暖房時の蓄熱体１５の熱交換効率が高くなる。
【００３２】
蓄熱体１５は、ファン１３との間に空隙が設けられている。空隙を設けることで空気の流れがスムーズになり、熱交換効率を向上させることができる。また、蓄熱体１５とファン１３との間の空隙は、ファン１３に接続される電気配線や、補助ヒータ１４に接続される電気配線の取り回しの通路になる。図１に示した例では、蓄熱体１５とファン１３との間の空隙は３０ｍｍ程度である。
【００３３】
次に、本発明の熱交換型換気装置１０を用いた熱交換型換気システムについて説明する。
図３は、熱交換型換気装置１０を備える建物の模式的な平面図である。図３において、外壁１に複数の換気孔２が形成されている。図示した例では同じサイズの２つの換気孔２及び換気孔６が、ほぼ対角線上に位置するように形成されていて、そのうちの一つに熱交換型換気装置１０が取り付けられている。もう一つの換気孔６には、熱交換型換気装置１０からファン１３を取り除いた熱交換型換気装置１７が取り付けられていて、強制換気を行わない熱交換換気孔となっている。図示した例は、熱交換型換気装置１０が取り付けられている一つの換気孔２と、ファンを有しない熱交換型換気装置１７が取り付けられている一つの換気孔６との２個１組のペアで構成されている熱交換型換気システムである。ペアの個数は建物に必要な換気量に応じて定められる。なお、ファンを有しない熱交換型換気装置１７は、換気孔６内に収容可能で通気可能な熱交換器である蓄熱体を備えて熱交換のみを行うものであれば、熱交換型換気装置１０からファン１３を取り除いたものに限られない。また、ファンを有していない熱交換換気装置１７は、配線工事などが不用のため、既存の換気孔に取り付けることができる。そのため、増改築工事などでも容易に本発明の熱交換換気システムが設置できる。
【００３４】
図３に示した熱交換型換気システムを使用する際は、熱交換型換気装置１０のファン１３に接続されているコントローラにより、各熱交換型換気装置１０のファン１３を正回転させて熱交換型換気装置１０により屋内から屋外に排気するときには、熱交換型換気装置１７が取り付けられた換気孔６により屋外から屋内に給気される。このとき、熱交換型換気システムは、第３種換気設備の役割を果たしている。なお、図３には、このときの空気の流れを矢印で示した。また、所定時間経過後に、上記コントローラにより、各熱交換型換気装置１０のファン１３を逆回転させて熱交換型換気装置１０により屋外から屋内に給気するときには、熱交換型換気装置１７が取り付けられた換気孔６により屋内から屋外に排気される。このとき、熱交換型換気システムは、第２種換気設備の役割を果たしている。
【００３５】
このように、本発明の熱交換型換気システムは、正逆回転可能なファン１３を備える熱交換型換気装置１０と、ファンを有していない熱交換型換気装置１７とを用いて、所定時間ごとに給気と排気を切り替えて換気をすることができる。したがって、本発明の熱交換型換気システムは、２個１組のペアの換気孔のうちの１個の換気孔２に熱交換型換気装置１０を取り付け、残りの１つの換気孔６には自然換気用の換気孔の中に蓄熱体を収納した熱交換型換気装置１７とすることができるので、既存の熱交換型換気システム、具体的には外壁に形成された複数の換気孔のうちの１つにファンを有する熱交換型換気装置を、別の１つにもファンを有する熱交換型換気装置を取り付けて、同時に給気と排気とを行う第１種換気設備として構成された既存の熱交換型換気システムに比べて、設備コスト及び運転コストを低減させることができる。
【００３６】
本発明の熱交換型換気システムは、図３に示したような、熱交換型換気装置１０が取り付けられている換気孔２と、自然換気用の換気孔の中に蓄熱体を収納した熱交換型換気装置１７が取り付けられた換気孔６との２個で１組のペアが、１組取り付けられている熱交換型換気システムである場合に限られない。例えば、建物が部屋その他複数のフロアを有する場合に、熱交換型換気装置１０が取り付けられている換気孔２を、ファン１３から生じる音が気にならない箇所のフロアに配置し、静けさが求められる部屋には、自然換気用の換気孔の中に蓄熱体を収納した熱交換型換気装置１７が取り付けられた換気孔６を配置することができる。このように熱交換型換気システムは、熱交換型換気装置１０、１７を適所に配置することができる。
【００３７】
また、本発明の熱交換器型換気システムは、新築住宅に限らず、既設の住宅であっても、ファンを有していない熱交換型換気装置１７を、既存の換気孔に取り付けることができるので、改修、改装にかけるコストを大幅に削減することが可能となる。
【００３８】
以上、図面を用いて本発明の実施形態について説明したが、本発明の熱交換型換気装置は、図面に示された実施形態に限定されず、本発明の趣旨を逸脱しない限り、幾多の変形をすることが可能である。例えば、熱交換型換気装置１０にフィルタを付加することにより、防塵、花粉対策が可能である。
【符号の説明】
【００３９】
１  外壁
２  換気孔
３  屋内用フード
４  屋外用フード
５  スリーブ管
６  換気孔
１０  熱交換型換気装置
１１  ケース
１２  蓄熱体
１３  ファン
１４  補助ヒータ
１５  蓄熱体
１６  補助ヒータ
１７  熱交換型換気装置
【図１】
2017083035.tif 000003
【図２】
2017083035.tif 000004
【図３】
2017083035.tif 000005